(57)【特許請求の範囲】
【請求項１】
戻りヘッダーからの冷水あるいは温水を冷凍機又は冷温水発生機又はボイラを介して第１の送りヘッダーに送る一次送水ポンプと、
インバータを備え前記第１の送りヘッダーから第2の送りヘッダーに冷水あるいは温水を送る二次送水ポンプと、
前記第2の送りヘッダから前記戻りヘッダーへの流量を測定する流量センサと、
前記第2の送りヘッダと前記戻りヘッダーとの圧力差を測定する差圧センサとを具備する加圧送水ポンプシステムにおいて、
前記ポンプの送水圧力を求める演算に用いるパラメータをテーブルにして蓄積するデータ蓄積部と、
季節変動入力信号、稼働率変動入力または負荷変動入力信号を前記データ蓄積部に与え、このデータ蓄積部に蓄積された季節変動テーブル、稼働率変動テーブルまたは負荷変動テーブルから選択したパラメータＫ０，Ｋ１，Ｋ２，ｎ（ただし、Ｋ０はシステム全体の固定抵抗、Ｋ１，Ｋ２は管路定数、ｎは摩擦損失水頭計算式による定数）の組み合わせと、前記流量センサの測定信号Ｑとに基づいて次式により演算された送水圧力Ｐ１と、
Ｐ１＝Ｋ０＋Ｋ１・Ｑ＋Ｋ２・Ｑｎ
前記差圧センサで計測された吐出圧力と、
を基に演算を行い前記インバータの回転数を決定する入出力演算部を有する二次ポンプコントローラと、
を具備したことを特徴とする加圧送水ポンプシステム。
【請求項２】
前記第2の送りヘッダからの吐出圧が運転開始時より所定時間の間は一定所定吐出圧となるように前記インバータの回転数を決定する入出力演算部を有する二次ポンプコントローラ
を具備した事を特徴とする請求項１に記載の加圧送水ポンプシステム。
【請求項３】
前記第2の送りヘッダの吐出圧が所定時間間隔毎に所定時間の間、所定量プラスとなるように前記インバータの回転数を決定する入出力演算部を有する二次ポンプコントローラ
を具備した事を特徴とする請求項１または請求項２の何れかに記載の加圧送水ポンプシステム。
【請求項４】
前記入出力演算部にモニタ入力信号を入力するモニタ入力信号部とモニタ表示部とデータ記憶部と
を具備したことを特徴とする請求項１乃至請求項３の何れかに記載の加圧送水ポンプシステム。
【請求項５】
前記二次ポンプコントローラに設けられ操作状況を表示する操作表示部
を具備したことを特徴とする請求項１乃至請求項４の何れかに記載の加圧送水ポンプシステム。
【請求項６】
前記二次ポンプコントローラに設けられ遠隔通信手段を介して操作状況を遠隔表示する第1の外部通信部
を具備したことを特徴とする請求項１乃至請求項５の何れかに記載の加圧送水ポンプシステム。
【請求項７】
前記二次ポンプコントローラに設けられ遠隔通信手段を介して遠隔地から運転に必要なパラメータを設定変更する第２の外部通信部
を具備したことを特徴とする請求項１乃至請求項６の何れかに記載の加圧送水ポンプシステム。
【発明の詳細な説明】
【０００１】
【発明の属する技術分野】
本発明は、省電力効果が有る加圧送水ポンプシステムに関するものである。
【０００２】
【従来の技術】
図４は、従来より一般に使用されている従来例の構成説明図である。
一次送水ポンプ１は、戻りヘッダー２からの冷水あるいは温水を冷凍機又は冷温水発生機又はボイラ３を介して第１の送りヘッダー４に送る。
【０００３】
二次送水ポンプ５は、インバータ６を備え第１の送りヘッダー４から第2の送りヘッダー７に冷水あるいは温水を送る。
流量センサ８は、第2の送りヘッダ７から制御二方弁９と熱交換器１１を介して戻りヘッダー２に送られる冷水あるいは温水の流量を測定する。
【０００４】
差圧センサ１２は、第2の送りヘッダ７と戻りヘッダー２との冷水あるいは温水の差圧を測定する。
台数制御コントローラ１３は、流量センサ８と差圧センサ１２との測定値から二次送水ポンプ５に最適運転台数となるように運転を指令する。
【０００５】
以上の構成において、一次送水ポンプ１により製造された、冷水あるいは温水は、二次送水ポンプ５により、二次側ユースポイントの熱交換器１１へ送水される。
熱交換器１１の必要熱交換量に応じ、制御二方弁９が制御されることにより、二次側循環水量は変流量となる。
【０００６】
この時、流量センサ８において、流量を検出し、最適運転台数となる様に、台数制御コントローラ１３より、二次送水ポンプ５へ運転指令を出すと同時に、差圧センサ１２により、第2の送りヘッダ７と戻りヘッダー２との差圧を検出し、予め設定された必要差圧となるように、インバータ６に対し、回転数制御信号を送信する。
【０００７】
この結果、電力使用量を低減することが出来る加圧送水ポンプシステムが得られる。
【０００８】
【発明が解決しようとする課題】
しかしながら、このような従来の加圧送水ポンプシステムでは、以下の問題が有る。
（１）二次側の要求水量を直接検出すること無く、第2の送りヘッダ７と戻りヘッダー２との差圧又は第2の送りヘッダ７の圧力の検出による一定圧回転数制御システムであること。
【０００９】
（２）一定圧回転数制御システムである為、水量の低減に伴う省エネ効果は有るが、流量比の２乗に比例して低減する揚程分の省エネルギー効果は少ない回転数制御システムであること。
【００１０】
（３）また、圧力設定を低くしてしまった場合には、負荷に対して、流量不足のまま安定してしまう可能性がある。
【００１１】
（４）調整設定は現地で行うより他無く、また、過去のデータの蓄積機能が無い為、最適値調整は、別途のモニタリングを行う必要が有り、調整が難しいこと。
【００１２】
（５）負荷ピーク時が種々に異なる為に、これに対処する為の制御系のパラメータの変更、又は、生産機器稼働率の変化等による負荷変動に対するの変更は、現地或いは敷地内での手動操作になっており、操作性が良くないこと。
【００１３】
（６）省エネルギー効果を算定するには、現地でのデータ収集は、測定器を設置し、計測し、そのデータを持ち帰り、省エネルギー効果を演算する必要が有り、非常に手間が掛ること。
【００１４】
本発明は上記の問題を解決することを課題とし、省電力効果が有る加圧送水ポンプシステムを提供することを目的とする。
【００１５】
【課題を解決するための手段】
このような目的を達成するために、本発明では、請求項１の加圧送水ポンプシステムにおいては、
戻りヘッダーからの冷水あるいは温水を冷凍機又は冷温水発生機又はボイラを介して第１の送りヘッダーに送る一次送水ポンプと、
インバータを備え前記第１の送りヘッダーから第2の送りヘッダーに冷水あるいは温水を送る二次送水ポンプと、
前記第2の送りヘッダから前記戻りヘッダーへの流量を測定する流量センサと、
前記第2の送りヘッダと前記戻りヘッダーとの圧力差を測定する差圧センサとを具備する加圧送水ポンプシステムにおいて、
前記ポンプの送水圧力を求める演算に用いるパラメータをテーブルにして蓄積するデータ蓄積部と、
季節変動入力信号、稼働率変動入力または負荷変動入力信号を前記データ蓄積部に与え、このデータ蓄積部に蓄積された季節変動テーブル、稼働率変動テーブルまたは負荷変動テーブルから選択したパラメータＫ０，Ｋ１，Ｋ２，ｎ（ただし、Ｋ０はシステム全体の固定抵抗、Ｋ１，Ｋ２は管路定数、ｎは摩擦損失水頭計算式による定数）の組み合わせと、前記流量センサの測定信号Ｑとに基づいて次式により演算された送水圧力Ｐ１と、
Ｐ１＝Ｋ０＋Ｋ１・Ｑ＋Ｋ２・Ｑｎ
前記差圧センサで計測された吐出圧力と、
を基に演算を行い前記インバータの回転数を決定する入出力演算部を有する二次ポンプコントローラを具備したことを特徴とする。
【００２０】
本発明の請求項２においては、請求項１に記載の加圧送水ポンプシステムにおいて、前記第2の送りヘッダからの吐出圧が運転開始時より所定時間の間は一定所定吐出圧となるように前記インバータの回転数を決定する入出力演算部を有する二次ポンプコントローラを具備した事を特徴とする。
【００２１】
本発明の請求項３においては、請求項１または請求項２の何れかに記載の加圧送水ポンプシステムにおいて、前記第2の送りヘッダの吐出圧が所定時間間隔毎に所定時間の間、所定量プラスとなるように前記インバータの回転数を決定する入出力演算部を有する二次ポンプコントローラを具備した事を特徴とする。
【００２２】
本発明の請求項４においては、請求項１乃至請求項３の何れかに記載の加圧送水ポンプシステムにおいて、前記入出力演算部にモニタ入力信号を入力するモニタ入力信号部とモニタ表示部とデータ記憶部とを具備したことを特徴とする。
【００２３】
本発明の請求項５においては、請求項１乃至請求項４の何れかに記載の加圧送水ポンプシステムにおいて、前記二次ポンプコントローラに設けられ操作状況を表示する操作表示部を具備したことを特徴とする。
【００２４】
本発明の請求項６においては、請求項１乃至請求項５の何れかに記載の加圧送水ポンプシステムにおいて、前記二次ポンプコントローラに設けられ遠隔通信手段を介して操作状況を遠隔表示する第1の外部通信部を具備したことを特徴とする。
【００２５】
本発明の請求項７においては、請求項１乃至請求項６の何れかに記載の加圧送水ポンプシステムにおいて、前記二次ポンプコントローラに設けられ遠隔通信手段を介して遠隔地から運転に必要なパラメータを設定変更する第２の外部通信部を具備したことを特徴とする。
【００２６】
【発明の実施の形態】
以下、本発明を実施した例について図面を用いて説明する。
図１は本発明の加圧送水ポンプシステムの一実施例の要部構成説明図、図２，図３は図１の動作説明図である。
【００２７】
図において、図４と同一記号の構成は同一機能を表す。
以下、図４と相違部分のみ説明する。
台数制御コントローラ２１は、流量センサ８の測定値から二次送水ポンプ５に最適運転台数となるように運転を指令する。
【００２８】
二次ポンプコントローラ２２は、外部入力信号３１に基づいてシステム全体の固定抵抗Ｋ０と管路定数Ｋ１，Ｋ２と摩擦損失水頭計算式による定数ｎの数値を選択して、流量センサ８の測定信号とから送水圧力Ｐ１を演算して、インバータ６の回転数を決定する入出力演算部２２１を有する。
モニタ入力信号部２３は、入出力演算部２２１にモニタ入力信号を入力する。
【００２９】
操作表示部２２２は、二次ポンプコントローラ２２に設けられ、操作状況を表示する。
第1の外部通信部２２３は、二次ポンプコントローラ２２に設けられ、遠隔通信手段２４を介して操作状況を遠隔表示する。
【００３０】
第２の外部通信部２２４は、二次ポンプコントローラ２２に設けられ、遠隔通信手段２４を介して遠隔地から運転に必要なパラメータを設定変更する。
この場合は、遠隔通信手段２４はインターネットが使用されている。
【００３１】
データ蓄積部は、二次ポンプコントローラ２２に設けられ、種々のデータが蓄積される。
２５は、外部運転端末機である。
２６は、外部信号入力３１の信号変換器である。
【００３２】
次に、このように構成された本発明装置の動作を説明する。
二次送水ポンプ５の台数制御は、台数制御コントローラ２１により行われる。
二次送水ポンプ５の回転数制御は、以下の如くして行われる。
【００３３】
台数制御コントローラ２１を経由する流量センサ８の流量信号Qにより下記の演算を、入出力演算部２２１で行い、二次ポンプの送水圧力Ｐ１を決定する。
Ｐ１＝Ｋ０＋Ｋ１・Ｑ＋Ｋ２・Ｑｎ                      （１）
【００３４】
ここで、Ｐ１：二次ポンプの送水圧力
Ｋ０：システム全体の固定抵抗
Ｋ１：管路定数
Ｋ２：管路定数
Ｑ  ：二次ポンプの送水流量
ｎ  ：摩擦損失水頭計算式による定数（通常２）
【００３５】
入出力演算部２２１で、（１）式で求められた二次ポンプの送水圧力値Ｐ１と差圧センサ１２で計測された吐出圧力とを基に、ＰＩＤ演算を行い、インバータ６に回転数制御信号を出力する。
【００３６】
所で、加圧送水ポンプシステムにおいては，具体的には例えば、空調システムにおいては、冬季は早朝、夏期には午後に負荷のピークが発生する。また、生産機器がある場合には、稼動状態により、負荷変動による冷温水冷却水の流量変化が発生する。
【００３７】
従って、パラメータ（Ｋ０，Ｋ１，Ｋ２，ｎ）は負荷変動、負荷パターンにより、その都度最適値がある。
パラメータ（Ｋ０，Ｋ１，Ｋ２，ｎ）を、外部入力信号３１である、例えば、外気温度入力信号、生産機器電力使用量入力信号、または、データ蓄積部２２５に蓄積された種々のテーブル、例えば、季節変動テーブル、稼働率変動テーブル、負荷変動テーブルから選択する。
【００３８】
最適な、パラメータ（Ｋ０，Ｋ１，Ｋ２，ｎ）を選択して、入出力演算部２２１で演算し、インバータ６に回転数制御信号を出力する。
【００３９】
より具体的には、外部信号入力３１（外気温度、季節変動、稼働率変動、負荷変動）に基づき、操作表示部２２２から入力された、システム全体の固定抵抗Ｋ０、管路定数Ｋ１，Ｋ２、摩擦損失水頭計算式による定数（通常２）ｎの設定を、入出力演算部２２１で替え、最適値とし、インバータ６に回転数制御信号を出力する。
【００４０】
外部信号入力３１によるＫ０、Ｋ１，Ｋ２、ｎの値の置き換えは、例えば、下記の如く行う。
図２に示す如く、Ｋ０、Ｋ１，Ｋ２、ｎの値の数値の組み合わせにより、パターン１、パターン２、パターン３、パターン４……を決めておく。
【００４１】
例えば、外部信号入力３１として、季節変動を採用するとすれば、
春、夏、秋、冬で分ければ、
例えば、春→パターン１、
例えば、夏→パターン２、
例えば、秋→パターン１、
例えば、冬→パターン３、
として、Ｋ０、Ｋ１，Ｋ２、ｎの数値を決定する。
【００４２】
月で分ければ、
例えば、１月→パターン１、
例えば、２月→パターン２、
……、
……、
として、Ｋ０、Ｋ１，Ｋ２、ｎの数値を決定する。
【００４３】
以上のような季節変動の場合は、入力信号が固定的であるので、テーブルとして使用することが出来る。
【００４４】
次に、例えば、外部信号入力３１として、外気温度入力信号を採用するとすれば、
例えば、外気温０〜５℃    →パターン１、
例えば、外気温５〜１０℃  →パターン２、
例えば、外気温１０〜１５℃→パターン３、
……、
……、
として、Ｋ０、Ｋ１，Ｋ２、ｎの数値を決定する。
【００４５】
例えば、外部信号入力３１として、生産機器電力使用量入力信号を採用するとすれば、
例えば、電力使用量１００〜２００ＫＷＨ    →パターン１、
例えば、電力使用量２００〜３００ＫＷＨ    →パターン２、
……、
……、
として、Ｋ０、Ｋ１，Ｋ２、ｎの数値を決定する。
【００４６】
外気温、生産機器電力使用量のような場合には、テーブルは使用できず、別に、入力信号が必要となる。
【００４７】
次に、図３に示す如く、二次送水ポンプ５の運転開始時においては、所定一定圧力または所定一定周波数、と所定時間の設定を、操作表示部２２２で入力する。
具体的には、例えば、二次送水ポンプ５の運転開始からの所定時間□□分、所定一定圧力□．□□ＭＰａ加える。
【００４８】
つまり、運転開始からの所定時間だけ、二次送水ポンプ５の吐出圧Ｐを一定Ｐｃとする。
【００４９】
この結果、管路抵抗特性予測演算結果の二次ポンプの送水圧力Ｐ１が低い場合でも、要求水量より低水量で安定せず、低流量で安定してしまう可能性が防止出来、信頼性が向上された加圧送水ポンプシステムが得られる。
また、早期に加圧送水ポンプシステムの立ち上げ動作を確保することが出来る。
【００５０】
次に、前述の如く、二次ポンプの送水圧力Ｐ１は、。
Ｐ１＝Ｋ０＋Ｋ１・Ｑ＋Ｋ２・Ｑｎ
である。
Ｑの入力と設定されたＫ０，Ｋ１，Ｋ２，ｎにより、演算された結果がＰ１であり、パラメータＫ０，Ｋ１，Ｋ２，ｎが小さく設定されてしまうと、低流量で安定してしまう可能性が有る。
【００５１】
入出力演算部２２１において演算された送水圧力Ｐ１の値に、所定時間間隔毎に、所定時間の間、所定量プラスとなるように前記インバータの回転数を決定する。
【００５２】
具体的には、例えば、所定時間間隔□□□分毎に、所定量プラスの圧力□．□□ＭＰａを所定時間□□分の間加える。
つまり、二次ポンプの送水圧力Ｐ１の値に、ある時間毎に、ある時間だけ、圧力を上昇させる。
【００５３】
なお、上昇させる圧力又は周波数と、所定時間の設定を、操作表示部２２２で入力する。
【００５４】
この結果、管路抵抗特性予測演算結果の二次ポンプの送水圧力Ｐ１が低い場合でも、要求水量より低水量で安定せず、低流量で安定してしまう可能性が防止出来、信頼性が向上された加圧送水ポンプシステムが得られる。
【００５５】
モニタ入力が使用される場合には、モニタ入力信号部２３は、入出力演算部２２１にモニタ入力信号を入力し、データ蓄積部２２５にデータを蓄積すると共に、操作表示部２２２に、トレンドグラフ、数値表示を行う。
【００５６】
遠隔操作の場合には、モニタ入力信号や各種パラメータ値を、第１，第２の外部通信部２２３，２２４より遠隔通信手段２４を経由し、遠隔地の外部運転端末機２５でモニタを行うと共に、設定値の設定変更を行う。
また、外部運転端末機２５において、省エネルギー効果のコスト演算も行うことが出来る。
【００５７】
この結果、
（１）外部入力信号３１あるいはデータ蓄積部１９のテーブルに基づいてシステム全体の固定抵抗Ｋ０と管路定数Ｋ１，Ｋ２と摩擦損失水頭計算式による定数ｎの数値を選択して、流量センサ８の測定信号とから送水圧力を演算して、インバータの回転数を決定する入出力演算部２２１を有する二次ポンプコントローラ２２を具備するようにしたので、精度の高い省エネルギーシステムが確保出来る加圧送水ポンプシステムが得られる。
【００５８】
（２）従来の加圧送水ポンプシステムに対して、既存の台数制御コントローラ２１が利用出来、入出力演算部２２１を増設すれば良いので、増設が容易で、安価な加圧送水ポンプシステムが得られる。
【００５９】
（３）外部入力信号として外気温度入力信号が使用された場合には、外気温度変化のファクターが大なる環境に置かれた加圧送水ポンプシステムに好適な加圧送水ポンプシステムが得られる。
【００６０】
（４）外部入力信号として季節変動入力信号が使用された場合には、季節変動変化のファクターが大なる環境に置かれた加圧送水ポンプシステムに好適な加圧送水ポンプシステムが得られる。
【００６１】
（５）外部入力信号として負荷変動入力信号が使用された場合には、負荷変動変化のファクターが大なる環境に置かれた加圧送水ポンプシステムに好適な加圧送水ポンプシステムが得られる。
【００６２】
（６）負荷変動入力信号として負荷稼働率変動入力信号が使用された場合には、負荷稼働率変動変化のファクターが大なる環境に置かれた加圧送水ポンプシステムに好適な加圧送水ポンプシステムが得られる。
【００６３】
（７）第2の送りヘッダからの吐出圧が運転開始時より所定時間の間は一定所定吐出圧となるように前記インバータの回転数を決定する入出力演算部を有する二次ポンプコントローラが設けられた。
【００６４】
従って、管路抵抗特性予測演算結果の二次ポンプの送水圧力Ｐ１が低い場合でも、要求水量より低水量で安定せず、低流量で安定してしまう可能性が防止出来、信頼性が向上された加圧送水ポンプシステムが得られる。
また、早期に加圧送水ポンプシステムの立ち上げ動作を確保することが出来る。
【００６５】
（８）第2の送りヘッダの吐出圧Ｐ１が所定時間間隔毎に所定時間の間、所定量プラスとなるように前記インバータの回転数を決定する入出力演算部２２１を有する二次ポンプコントローラ２２が設けられた。
【００６６】
従って、管路抵抗特性予測演算結果の二次ポンプの送水圧力Ｐ１が低い場合でも、要求水量より低水量で安定せず、低流量で安定してしまう可能性が防止出来、信頼性が向上された加圧送水ポンプシステムが得られる。
【００６７】
（９）入出力演算部２２１にモニタ入力信号を入力するモニタ入力信号部とモニタ表示部とデータ記憶部と２３が設けられたので、モニタ入力やモニタデータの蓄積が容易となり、調整が容易な加圧送水ポンプシステムが得られる。
【００６８】
（１０）二次ポンプコントローラ２２に操作状況を表示する操作表示部２２２が設けられたので、二次ポンプコントローラ２２の操作状況を容易に把握出来る加圧送水ポンプシステムが得られる。
【００６９】
（１１）二次ポンプコントローラ２２に設けられ遠隔通信手段２４を介して操作状況を遠隔表示する第1の外部通信部２２３が設けられたので、二次ポンプコントローラ２２の操作状況を遠隔地において容易に把握出来、省力化、省人化が可能となる加圧送水ポンプシステムが得られる。
【００７０】
（１２）二次ポンプコントローラ２２に設けられ遠隔通信手段２４を介して遠隔地から運転に必要なパラメータを設定変更できる第２の外部通信部２２４が設けられたので、二次ポンプコントローラ２２の遠隔操作が可能となり、調整の為の省力化、省人化が可能となる加圧送水ポンプシステムが得られる。
【００７１】
なお、前述の実施例においては、遠隔通信手段２４はインターネットが使用されていると説明したが、これに限る事は無く、たとえば、直接電話回線を使用しても良く、要するに、遠隔地に信号を送れる通信手段であれば良い。
【００７２】
また、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００７３】
【発明の効果】
以上説明したように、本発明の請求項１によれば、次のような効果がある。
（１）外部入力信号あるいはデータ蓄積部のテーブルに基づいてシステム全体の固定抵抗Ｋ０と管路定数Ｋ１，Ｋ２と摩擦損失水頭計算式による定数ｎの数値を選択して、流量センサの測定信号とから送水圧力を演算して、インバータの回転数を決定する入出力演算部を有する二次ポンプコントローラを具備するようにしたので、精度の高い省エネルギーシステムが確保出来る加圧送水ポンプシステムが得られる。
【００７４】
（２）従来の加圧送水ポンプシステムに対して、既存の台数制御コントローラが利用出来、入出力演算部、モニタ入力信号部とモニタ表示部とデータ記憶部と、操作表示部等を増設すれば良いので、増設が容易で、安価な加圧送水ポンプシステムが得られる。
（３）季節変動、稼働率変動、負荷変動のファクターが大なる環境に置かれた加圧送水ポンプシステムに好適な加圧送水ポンプシステムが得られる。
【００７９】
本発明の請求項２によれば、次のような効果がある。第2の送りヘッダからの吐出圧が運転開始時より所定時間の間は一定所定吐出圧となるように前記インバータの回転数を決定する入出力演算部を有する二次ポンプコントローラが設けられた。
【００８０】
従って、早期に加圧送水ポンプシステムの立ち上げ動作を確保することが出来る。
【００８１】
本発明の請求項３によれば、次のような効果がある。第2の送りヘッダの吐出圧が所定時間間隔毎に所定時間の間、所定量プラスとなるように前記インバータの回転数を決定する入出力演算部を有する二次ポンプコントローラが設けられた。従って、管路抵抗特性予測演算結果の二次ポンプの送水圧力が低い場合でも、要求水量より低水量で安定せず、低流量で安定してしまう可能性が防止出来、信頼性が向上された加圧送水ポンプシステムが得られる。
【００８２】
本発明の請求項４によれば、次のような効果がある。入出力演算部にモニタ入力信号を入力するモニタ入力信号部とモニタ表示部とデータ記憶部とが設けられたので、モニタ入出力やモニタデータの蓄積が容易となり、調整が容易な加圧送水ポンプシステムが得られる。
【００８３】
本発明の請求項５によれば、次のような効果がある。二次ポンプコントローラに操作状況を表示する操作表示部が設けられたので、二次ポンプコントローラの操作状況を容易に把握出来る加圧送水ポンプシステムが得られる。
【００８４】
本発明の請求項６によれば、次のような効果がある。二次ポンプコントローラに設けられ遠隔通信手段を介して操作状況を遠隔表示する第1の外部通信部が設けられたので、二次ポンプコントローラの操作状況を遠隔地において容易に把握出来、省力化、省人化が可能となる加圧送水ポンプシステムが得られる。
【００８５】
本発明の請求項７によれば、次のような効果がある。二次ポンプコントローラに設けられ遠隔通信手段を介して遠隔地から運転に必要なパラメータを設定変更できる第２の外部通信部が設けられたので、二次ポンプコントローラの遠隔操作が可能となり、調整の為の省力化、省人化が可能となる加圧送水ポンプシステムが得られる。
【００８６】
従って、省電力効果が有る加圧送水ポンプシステムが実現できる。
【図面の簡単な説明】
【図１】本発明の加圧送水ポンプシステムの一実施例の要部構成説明図である。
【図２】図１の動作説明図である。
【図３】図１の動作説明図である。
【図４】従来より一般に使用されている従来例の要部構成説明図である。
【符号の説明】
１        一次送水ポンプ
２        戻りヘッダー
３        冷凍機又は冷温水発生機又はボイラ
４        第１の送りヘッダー
５        二次送水ポンプ
６        インバータ
７        第2の送りヘッダー
８        流量センサ
９        制御二方弁
１１      熱交換器
１２      差圧センサ
１３      台数制御コントローラ
２１      台数制御コントローラ
２２      二次ポンプコントローラ
２２１    入出力演算部
２２２    操作表示部
２２３    第1の外部通信部
２２４    第２の外部通信部
２２５    データ蓄積部
２３      モニタ入力信号部
２４      遠隔通信手段
２５      外部運転端末機
２６      外部信号入力３１の信号変換器
３１      外部信号入力
Ｐ１      二次ポンプの送水圧力
Ｑ        流量
Ｋ１      管路定数
Ｋ２      管路定数
ｎ        摩擦損失水頭計算式による定数
【図１】
0003917835.tif 000002
【図２】
0003917835.tif 000003
【図３】
0003917835.tif 000004
【図４】
0003917835.tif 000005